(57)【要約】      （修正有）【課題】縦樋を増やすこと無く軒樋からのオーバーフローを抑制し軒天井内の浸水を抑制可能な軒樋構造の提供。【解決手段】建物Ｈの軒先に沿って取り付けられ、縦樋を介して排水を行う軒樋１０と、軒樋１０の下方位置で軒先の裏側の軒天井４０と、を備えた軒樋構造であって、軒樋１０の底面を形成する底板１１よりも上方位置に落し口（開口）を有し、軒天井４０の下面に排水口を有するオーバーフロー樋２００が設けられている軒樋構造Ａ。【選択図】図１
2019214879.tif 000002
【特許請求の範囲】
【請求項１】
建物の軒先に沿って取り付けられ、縦樋を介して排水を行う軒樋と、
前記軒樋の下方位置で前記軒先の裏側を軒天井と、を備えた軒樋構造であって、
前記軒樋の底面よりも上方位置に落し口を有し、前記軒天井の下面に排水口を有するオーバーフロー樋が設けられている軒樋構造。
【請求項２】
請求項１に記載の軒樋構造において、
前記オーバーフロー樋は、前記軒樋に取り付けられた上側縦管と、前記軒天井に取り付けられた下側縦管と、を備え、
前記下側縦管の上端部は、前記上側縦管の下端部よりも大径に形成され、
前記上側縦管の下端部が、前記下側縦管の上端部に挿入されている軒樋構造。
【請求項３】
請求項２に記載の軒樋構造において、
前記下側縦管は前記排水口を有するドレン部材に接続されて前記軒天井に固定されている軒樋構造。
【請求項４】
請求項１〜請求項３のいずれか１項に記載の軒樋構造において
前記オーバーフロー樋は、前記軒樋の水上位置に設けられている軒樋構造。
【請求項５】
請求項１〜請求項４のいずれか１項に記載の軒樋構造において、
前記オーバーフロー樋の上部に、前記落し口の上方を覆い、かつ、前記オーバーフロー樋との間に、前記落し口への流路を形成する蓋部材が設けられている軒樋構造。
【請求項６】
請求項１〜請求項５のいずれか１項に記載の軒樋構造を備えた建物。
【発明の詳細な説明】
【技術分野】
【０００１】
本発明は、軒樋構造および建物に関する。
【背景技術】
【０００２】
従来、大雨などの際に軒樋から水が溢れ出るオーバーフローが生じるのを防止する軒樋構造が提案されている（例えば、特許文献１参照）。
この特許文献１に記載の従来の軒樋構造は、建物の軒先に設けられた軒樋に加え、建物の各階間の境目に位置して外周パイプが設けられ、さらに、軒樋と外周パイプとを連通する複数の上竪樋と、外周パイプから垂下された下竪樋とが設けられている。
したがって、この従来技術では、一時的に外周パイプおよび上竪樋において保水が可能となり、軒樋からのオーバーフローを抑制できる。
【先行技術文献】
【特許文献】
【０００３】
【特許文献１】特開２００９−１０８５１８号公報
【発明の概要】
【発明が解決しようとする課題】
【０００４】
しかしながら、上述の従来の軒樋構造にあっても、軒樋から垂下された上縦樋による排水能力を越えると、軒樋からのオーバーフローが生じる。特に、上縦樋の開口部分に枯葉などが詰まって排水能力が低下した場合、オーバーフローが生じやすくなる。
そして、軒樋の下方に軒天井が設けられている場合、軒樋からオーバーフローした雨水は、軒天井内が浸水してしまい、しかも、このようなオーバーフローによる浸水が生じていることを住人は気付きにくい。
【０００５】
一方、排水性能を上げるには、縦樋の数を増やすことになるが、この場合、コストアップを招くとともに、外観設計の自由度を制限することになる。
【０００６】
本開示は、上記課題に着目したもので、縦樋の数を増やすこと無く軒樋からのオーバーフローを抑制し軒天井内の浸水を抑制可能であるとともに、オーバーフローが生じそうな状態を事前に報せることが可能な軒樋構造および建物を提供することを目的とする。
【課題を解決するための手段】
【０００７】
本開示の軒樋構造は、軒樋に、軒樋の底面よりも上方位置に落し口を有し、軒天井の下面に排水口を有するオーバーフロー樋が設けられている軒樋構造とした。
また、本開示の建物は、上記軒樋構造を備える。
【発明の効果】
【０００８】
本開示の軒樋構造は、軒樋内の水位がオーバーフロー樋の落し口よりも上昇すると、オーバーフロー樋を介し、軒天井の排水口から排水し、軒樋からのオーバーフローが生じるのを抑制できる。
また、オーバーフロー樋は、軒樋と軒天井との間に設ければよいため、縦樋を設けた場合と比較して、安価に形成できる。
加えて、ゴミ詰まりなどにより縦樋の排水性能が低下してオーバーフローが生じそうな状態であることを、オーバーフロー樋により軒天井の排水口から排水を行うことで、オーバーフローが生じる前に住人に報せることができる。
【図面の簡単な説明】
【０００９】
【図１】実施の形態の軒樋構造を適用した建物Ｈの軒先部分の拡大断面図である。
【図２】実施の形態の軒樋構造の要部を示す図であり、図１の矢印Ｙ２方向から見た状態を示す矢視図である。
【図３】実施の形態の軒樋構造を適用した建物Ｈの軒先部分の概略を示す平面図である。
【図４】実施の形態の軒樋構造の主要部を示す断面図である。
【図５】実施の形態の軒樋構造の主要部を示す斜視図である。
【図６Ａ】実施の形態の軒樋構造におけるオーバーフロー樋２００の上側縦管２１０の管体２１２を示す斜視図である。
【図６Ｂ】実施の形態の軒樋構造におけるオーバーフロー樋２００の上側縦管２１０のベース部材２１１を示す斜視図である。
【図７Ａ】実施の形態の軒樋構造におけるオーバーフロー樋２００の下側縦管２２０を示す側面図である。
【図７Ｂ】実施の形態の軒樋構造におけるオーバーフロー樋２００のドレン部材２３０を示す斜視図である。
【発明を実施するための形態】
【００１０】
以下、本開示の軒樋構造および建物の実施の形態について説明する。
（実施の形態１）
本実施の形態１の軒樋構造Ａおよびこの軒樋構造Ａを備えた建物Ｈについて、図面を用いて詳細に説明する。
【００１１】
図１は、建物Ｈの軒先部分の拡大断面図である。
この建物Ｈは、屋根Ｌの軒先、すなわち、屋根Ｌ水下側となる縁部に軒樋１０を備えた建物である。
ここで、まず、建物Ｈの構成について説明する。
建物Ｈは、建物全般とすることができるが、ここでは、ユニット建物を例示する。
このユニット建物は、予め工場で製造した建物ユニット２０を建築現場へ運んで、建築現場で組み立てることによって、短期間のうちに建物Ｈを構築し得るようにしたものである。ユニット建物には、鉄骨系のものと、木質系のものとが存在しているが、ここでは鉄骨系のユニット建物を用いている。
【００１２】
なお、建物ユニット２０は、４本の柱（不図示）の上端部を４本の天井梁２１で矩形状に連結するとともに、４本の柱（不図示）の下端部間を４本の床梁（不図示）で矩形状に連結して成るボックスラーメン構造のユニットフレーム（不図示）を有している。また、ユニットフレームの外側には、壁面を構成する外壁材２２が取付けられている。
【００１３】
図１に示す建物ユニット２０は、建物Ｈの最上階に位置するもので、天井梁２１の上部に取り付けられた取付具２３を介して、屋根Ｌを形成する屋根材２４が取り付けられている。
【００１４】
ユニット建物である建物Ｈは、戸建て住宅や集合住宅などの各種建物を形成することができるが、ここでは集合住宅を一例として示す。
図３は、建物Ｈの最上階部分の建物ユニット２０の配置を示しており、エントランススペースＥを形成する建物ユニット２０（ｅ）を挟んで、第１の住居スペースＳ１を形成する建物ユニット２０（１）と第２の住居スペースＳ２を形成する建物ユニット２０（２）が設けられている。図１は、これらの建物ユニット２０（ｅ）、２０（１）、２０（２）の上に設置された屋根Ｌの軒先部分を示している。なお、図３において矢印ＷＬは、屋根Ｌにおける水下の方向を示している。
【００１５】
すなわち、前述の屋根材２４は、軒先に向かって下がるように傾斜されており、図１では左方向が水下となるように傾斜されている。そして、屋根材２４の先端は、建物ユニット２０よりも水下方向に張り出して庇が形成されている。また、本実施の形態１では、屋根材２４として図２に示すように波状の折板が用いられている。
【００１６】
建物ユニット２０の水下側となる天井梁２１の側面には、庇アーム２５が、建物Ｈの外方、すなわち、外壁材２２の直交方向に突出して取付けられている。なお、庇アーム２５は、天井梁２１の延在方向に間隔を開けて複数本取り付けられている。
【００１７】
そして、庇アーム２５の上面に、樋受金具２５ａを用いて軒樋１０が設置されている。樋受金具２５ａは、軒樋１０を囲むようにＵ字状に形成され、庇アーム２５にビスなどの固定部材により固定されている。
【００１８】
また、軒樋１０および屋根Ｌの庇部分は、水平方向の外側部をパラペット３０により覆われている。
パラペット３０は、庇アーム２５の先端部に取り付けられた板状のパラペット補強材３１に支持されている。そして、パラペット３０は、それぞれ、パラペット補強材３１にネジなどの固定部材により固定された上部部材３０ａ、中間部材３０ｂ、下部部材３０ｃの３つの部材により形成されている。
【００１９】
さらに、軒先の裏側であるパラペット３０の下部と、建物ユニット２０の外壁材２２との間の空間に、軒天井４０が設けられて、軒樋１０や庇アーム２５を下方から覆い隠している。
軒天井４０は、塩化ビニルなどの樹脂製の板であり、庇アーム２５の下面にビス止めされた一対の軒天受材４１，４１にブラケット４１ｂ，４１ｂを介して支持されている。
【００２０】
一方、パラペット３０の上部と屋根材２４との間には、パラペットカバー５０が設けられている。このパラペットカバー５０は、図２に示すように、屋根材２４の波形状の上方に凸となった凸部２４ａと凸部２４ａとの間の凹部２４ｂの部分に立設された縦壁部５１を有している。この縦壁部５１は、屋根材２４を流れる水は通過させるが、枯葉などのゴミ６０を堰き止めることが可能に、屋根材２４との間の隙間や開口５１ａが設けられている。
【００２１】
（軒樋構造）
次に、実施の形態１の軒樋構造について説明する。
軒樋構造は、図３の概略説明図に示すように、軒樋１０、縦樋１００、オーバーフロー樋２００で構成されている。なお、図３では、縦樋１００の落し口の位置を三角により表示し、オーバーフロー樋２００の落し口２１３の位置を黒丸により表示しており、これら三角や黒丸は実際の形状を示すものではない。
【００２２】
軒樋１０は、屋根Ｌの軒先に沿って配置され、樹脂あるいは金属により図１および図４に示すように、底板１１の軒先側と軒元側とにそれぞれ立ち上げ部１２，１３を有する略Ｕ字断面状に形成されている。
そして、軒樋１０は、前述のように樋受金具２５ａにより庇アーム２５に取り付けられている。
【００２３】
また、軒樋１０は、縦樋１００に向かって下るように傾斜されている。すなわち、図３に示す矢印ＤＳが、軒樋１０における傾斜を示しており、この傾斜の最も低い位置である水下に縦樋１００が設けられている。一方、この傾斜の最も高い位置である水上に、オーバーフロー樋２００が設けられている。
なお、縦樋１００は、周知のものであり、軒樋１０から建物Ｈの外壁に沿って地上まで延在されている。
【００２４】
＜オーバーフロー樋＞
次に、本実施の形態１の特徴とするオーバーフロー樋２００について説明する。
このオーバーフロー樋２００は、図１に示すように、軒樋１０の立ち上げ部１２，１３よりも低く、底板（底面）１１よりも上方位置に落し口２１３を有し、軒天井４０に排水口２３４を有する。すなわち、オーバーフロー樋２００は、軒樋１０の水位が落し口２１３の高さ（ｈ１）を越えると軒天井４０の排水口２３４から排水を行う。
【００２５】
オーバーフロー樋２００は、図１、図４に示すように、上側縦管２１０、下側縦管２２０、ドレン部材２３０、蓋部材２４０を備える。
【００２６】
上側縦管２１０は、軒樋１０の底板１１を貫通して設けられた円形の管であり、図６Ｂに示すベース部材２１１と、図６Ａに示す管体２１２とを備える。
ベース部材２１１は、図４、図６Ｂに示すように、相対的に大径の大径管部２１１ａと、相対的に小径の小径管部２１１ｂとが上下に連結され、大径管部２１１ａの上端の外周に、環状のフランジ２１１ｆが外径方向に突出して形成されている。さらに、図６Ｂに示すように、大径管部２１１ａの内周２１１ｃには、雌ネジ２１１ｄが形成されている。
【００２７】
管体２１２は、図６Ａに示すように、円形の管状の本体２１２ａと、この本体２１２ａの下部に設けられて環状で外径方向に延びるフランジ２１２ｆとを備える。
そして、本体２１２ａには、上端部の外周には、後述する蓋部材２４０の雌ネジ２４３と噛み合う上部雄ネジ２１２ｂが形成され、下端部の外周には、ベース部材２１１の雌ネジ２１１ｄと噛み合う下部雄ネジ２１２ｄが形成されている。
さらに、本体２１２ａの上部には、径方向に貫通した開口２１３ａが、周方向に複数並列に設けられている。したがって、軒樋１０の水位が、開口２１３ａの下端の高さである図４のｈ１の高さまで上昇すると、軒樋１０内の水が管体２１２に流入する。なお、開口２１３ａは、上下方向の寸法が後述する隙間２４４の水平方向の寸法よりも大きく、例えば１５ｍｍよりも大きな寸法に形成され、さらに、周方向の寸法は数ｃｍとされている。
【００２８】
また、上側縦管２１０は、軒樋１０の底板１１に固定されており、この固定は、前述のベース部材２１１の雌ネジ２１１ｄと、管体２１２の下部雄ネジ２１２ｄとを噛み合わせることで行われている。
【００２９】
すなわち、ベース部材２１１を底板１１に形成された開口の下方に配置し、管体２１２の本体２１２ａを底板１１の開口に挿通させ、両者を相対回転させてベース部材２１１の雌ネジ２１１ｄと管体２１２の下部雄ネジ２１２ｄとを噛み合わせる。
これにより、ベース部材２１１と管体２１２とが軸方向に沿って移動し、図４に示すように、ベース部材２１１のフランジ２１１ｆと管体２１２のフランジ２１２ｆとで、底板１１を挟持状態として、上側縦管２１０が軒樋１０の底板１１に固定されている。また、このように雌ネジ２１１ｄと下部雄ネジ２１２ｄとの噛み合いにより固定するため、底板１１に締結部材などを貫通することが無く、シール性の確保が容易である。
【００３０】
上述した上側縦管２１０のベース部材２１１の小径管部２１１ｂは、下側縦管２２０の上部に挿入されている。
下側縦管２２０は、ドレン部材２３０と接続されて軒天井４４に固定されている。
この下側縦管２２０は、図７Ａに示すように管状の管本体２２１と、管本体２２１の下端部から外径方向に延在された環状のフランジ２２２と、フランジ２２２よりも下方に延在された接続用筒部２２３とを備える。
【００３１】
管本体２２１は、上部が拡径され、上述のように上側縦管２１０のベース部材２１１の小径管部２１１ｂよりも大径に形成されている。
また、接続用筒部２２３の外周には、雄ネジ２２４が形成されている。
【００３２】
ドレン部材２３０は、図７Ｂに示すように、円管状の筒部２３１と、筒部２３１の上端に設けられ環状に外径方向に突出されたフランジ２３２と、筒部２３１の下側に形成された排水口２３４とを備える。
なお、筒部２３１の内周には、管本体２２１の接続用筒部２２３の外周に形成された雄ネジ２２４と噛み合い可能な雌ネジ２３５が形成されている。
また、排水口２３４は、排水を中心軸に沿う方向に対して外径方向に向かわせるための側方開口２３４ａと、排水を下方に向かわせるための下方開口２３４ｂとを、それぞれ複数有する。
【００３３】
すなわち、ドレン部材２３０は、オーバーフロー樋２００による排水を行った際に、側方開口２３４ａから排水して、排水がある程度水平方向に飛ぶようにして、排水を行っていることを報せるようにしている。
一方、下方開口２３４ｂを設けることにより、側方開口２３４ａにおける流量を制限して、排水が広範囲に飛び散らないようにしている。
【００３４】
下側縦管２２０およびドレン部材２３０は、図４に示すように軒天井４０に固定されている。その固定構造も、前述の上側縦管２１０の軒樋１０への固定と同様であり、軒天井４０の上側から下側縦管２２０の接続用筒部２２３を軒天井４０に設けられた開口（不図示）に貫通させ、軒天井４０の下側に配置したドレン部材２３０の筒部２３１に差し込む。そして、下側縦管２２０とドレン部材２３０とを相対回転させて、雄ネジ２２４と雌ネジ２３５とを噛み合わせ、両フランジ２２２、２３２で軒天井４０を挟んで下側縦管２２０およびドレン部材２３０を軒天井４０に固定している。
【００３５】
なお、下側縦管２２０と上側縦管２１０とは別体であるが、管本体２２１の上部が小径管部２１１ｂよりも大径に形成されているため、両者の水平方向の固定位置にズレがあっても、半径差分のズレは許容できる。また、上側縦管２１０を下側縦管２２０に挿入する構造であるため、両者の軸方向の固定位置にズレがあった場合でも、その挿入量により吸収することができる。
【００３６】
オーバーフロー樋２００の上部、すなわち、上側縦管２１０の管体２１２の上端部であって落し口２１３の上方に蓋部材２４０が固定されている。
蓋部材２４０は、蓋板部２４１と管部２４２と雌ネジ２４３とを備える。
蓋板部２４１は、上側縦管２１０の上端の上方に向いた開口を覆うもので、上側縦管２１０の外径よりも僅かに大径の円板状に形成されている。
【００３７】
管部２４２は、蓋板部２４１の外周から軸方向（下方）にフランジを延在させた環状に形成され、管体２１２の外周との間に隙間２４４を有している。この隙間２４４は、水平方向の寸法が、数ｍｍ〜１ｃｍ程度の寸法としている。これは、この隙間２４４よりも大きな枯葉などのゴミ６０の進入を防止するためである。
【００３８】
（実施の形態の作用）
以下に、実施の形態１の軒樋構造Ａの作用を説明する。
建物Ｈの屋根Ｌに雨が降ると、雨は、屋根材２４の傾斜に沿って図３の矢印ＷＬの方向に流れ、軒樋１０に流れ込む。
この際、枯葉などのゴミ６０のうち、ある程度大きなものは、図２に示すように、パラペットカバー５０の縦壁部５１により堰き止めて、軒樋１０への進入を抑制する。
【００３９】
軒樋１０に流入した雨水は、軒樋１０の傾斜に沿って、図３の矢印ＤＳに示すように水上から水下へ向かって流れ、縦樋１００により地上に排水される。
上述のように、相対的に大きな枯葉などのゴミ６０は、前述のようにパラペットカバー５０により軒樋１０への進入は抑制されるものの、長年使用すると、縦樋１００の落し口（図３において△により示している箇所）に集まり、落し口がふさがれる場合がある。
【００４０】
このように、縦樋１００の落し口が塞がれ、縦樋１００の排水能力が低下すると、降雨量が多い場合など、軒樋１０の水位が上昇する。
そして、軒樋１０においてオーバーフロー樋２００が設けられた水上の水位が、開口２１３ａの下端の高さｈ１よりも上昇すると、それ以上流入する雨水は、オーバーフロー樋２００により軒樋１０の外に排水される。したがって、軒樋１０の水位の上昇を抑制して、立ち上げ部１３の高さｈｔを越えて、軒天井４０にオーバーフローするのを抑制できる。
【００４１】
このオーバーフロー樋２００による排水の際には、軒天井４０に設けたドレン部材２３０の排水口２３４から、すなわち、軒天井４０の下面の近傍から排水される。このような軒天井４０のドレン部材２３０からの排水は、通常は、生じないため、住人は、軒樋１０の異常、すなわち、縦樋１００の詰まりを、このドレン部材２３０からの排水で認識することができる。
【００４２】
特に、本実施の形態１では、オーバーフロー樋２００を、図３に示すように、
エントランススペースＥの近傍に配置しているため、住居スペースＳ１、Ｓ２に出入りする住人が外出時、帰宅時に、認識しやすくなっている。
【００４３】
さらに、ドレン部材２３０の排水口２３４には、側方開口２３４ａを設けているため、水平方向にも飛散し、下方開口２３４ｂのみの場合よりも住人がオーバーフロー樋２００による排水を認識し易い。
【００４４】
ところで、上述のオーバーフロー樋２００の排水による軒樋１０のオーバーフローを防止するために、縦樋１００の排水能力とオーバーフロー樋２００の排水能力とを合わせた排水能力が、２００ｍｍ／ｈ以上となるように設定した。
例えば、縦樋１００の排水能力が１９０ｍｍ／ｈであれば、オーバーフロー樋２００の排水能力を５０ｍｍ／ｈ以上とする。降雨量が５０ｍｍ／ｈというのは、崖崩れなどの災害が発生するレベルであり、オーバーフロー樋２００の排水能力を５０ｍｍ／ｈ以上の排水能力を確保していれば、仮に全ての縦樋１００が詰まっても、通常の降雨であれば、オーバーフローを防止できる。
【００４５】
（実施の形態の効果）
以下に、実施の形態１の軒樋構造Ａおよび建物Ｈの効果を列挙する。
(1)実施の形態１の軒樋構造Ａは、
建物Ｈの軒先に沿って取り付けられ、縦樋１００を介して排水を行う軒樋１０と、
軒樋１０の下方位置で軒先の裏側の軒天井４０と、を備えた軒樋構造であって、
軒樋１０の底面を形成する底板１１よりも上方位置に落し口２１３（開口２１３ａ）を有し、軒天井４０の下面に排水口２３４を有するオーバーフロー樋２００が設けられている軒樋構造とした。
したがって、軒樋１０の水位が上昇した場合、オーバーフロー樋２００を介し、軒天井４０の排水口２３４から排水し、軒樋１０からのオーバーフローが生じるのを抑制し、軒天井４０の浸水を抑制できる。
そして、オーバーフロー樋２００は、軒樋１０と軒天井４０との間に設ければよいため、縦樋１００を多く設けた場合と比較して、安価に形成できるとともに、外観品質も向上できる。
加えて、ゴミ詰まりなどにより縦樋１００の排水性能が低下したことを、軒天井４０に配置された排水口２３４からの排水により、オーバーフローが生じる前に住人に報せることができる。
特に、本実施の形態１では、排水口２３４として側方開口２３４ａと下方開口２３４ｂとを設けた。これにより、側方開口２３４ａからの排水を水平方向に飛散させることにより、排水口２３４からの排水が生じたことを住人により確実に報せることができる。一方、下方開口２３４ｂを設けたことにより、側方開口２３４ａからの水平方向への過剰な飛散を抑えて、隣地などへ排水が飛散するのを抑えることができる。
【００４６】
(2)実施の形態１の軒樋構造Ａは、
オーバーフロー樋２００は、軒樋１０に取り付けられた上側縦管２１０と、軒天井４０に取り付けられた下側縦管２２０と、を備え、
下側縦管２２０の上端部は、上側縦管２１０の下端部よりも大径に形成され、
上側縦管２１０の下端部が、下側縦管２２０の上端部に挿入されている。
したがって、軒樋１０に取り付けた上側縦管２１０と、軒天井４０に取り付けた下側縦管２２０とで、水平方向および軸方向の取付位置がズレた場合でも、両者の半径差や挿入代によるズレを許容でき、施工性に優れ、かつ、水漏れも生じにくい。
なお、下側縦管２２０の上端部と上側縦管２１０の下端部との間の隙間を覆うカバーなどを設け、さらに、水漏れ抑制性能を高めてもよい。
【００４７】
(3)実施の形態１の軒樋構造Ａは、
下側縦管２２０は排水口２３４を有するドレン部材２３０に接続されて軒天井４０に固定されている。
したがって、下側縦管２２０に直接排水口を設けて、これを軒天井４０に開口する場合と比較して、排水口の位置調整、すなわち、下側縦管２２０の取付位置の調整が不要であり、施工性に優れるとともに、外観品質に優れる。
【００４８】
(4)実施の形態１の軒樋構造Ａは、
オーバーフロー樋２００は、軒樋１０の水上位置に設けられている。
したがって、軒樋１０に枯葉などのゴミ６０が進入した場合に、ゴミ６０は、水下に流れやすく、オーバーフロー樋２００の周辺に溜まりにくく、オーバーフロー樋２００の排水性能を確保できる。
【００４９】
(5)実施の形態１の軒樋構造Ａは、
オーバーフロー樋２００の上部に、落し口２１３の上方を覆い、かつ、オーバーフロー樋２００との間に、落し口２１３への流路としての隙間２４４を形成する蓋部材２４０が設けられている。
したがって、蓋部材２４０により、オーバーフロー樋２００の落し口２１３に枯葉などのゴミ６０が直接進入するのを防止し、オーバーフロー樋２００の排水能力を確保できる。加えて、隙間２４４により隙間２４４よりも大きなゴミ６０がオーバーフロー樋２００へ進入してオーバーフロー樋２００が詰まるのを、より確実に防止できる。
なお、隙間２４４よりも小さなゴミ６０は、オーバーフロー樋２００により軒樋１０の外部に排出することができる。
加えて、実施の形態１では、隙間２４４の寸法を１ｃｍ以下にし、開口２１３ａは、上下方向および周方向にそれよりも大きな寸法にしているため、特に、枯葉が開口２１３ａを塞ぐのを防止できる。なお、大きな枯葉などのゴミ６０の軒樋１０への進入は、パラペットカバー５０により防ぐようにしているため、縦樋１００のゴミ詰まりも抑制できる。
【００５０】
(6)実施の形態１の建物Ｈは、
上記の軒樋構造Ａを備えるため、上記(1)〜(5)に記載した効果のいずれかあるいは全てを奏する。
【００５１】
以上、この発明の実施の形態を図面により詳述してきたが、この発明は実施の形態に限定されるものではなく、この発明の要旨を逸脱しない範囲の設計の変更等があってもこの発明に含まれる。
例えば、実施の形態では、軒樋構造Ａをユニット建物である建物Ｈに設けた例を示したが、ユニット建物以外の建物に設けることもできる。
また、実施の形態では、建物Ｈとして、集合住宅を例として示したが、戸建ての住宅に適用してもよい。よって、実施の形態では、オーバーフロー樋２００をエントランススペースＥの近傍に配置した例を示したが、これに限定されない。特に、建物が戸建て住宅の場合、エントランススペースＥに限定されない。この場合、外壁の位置よりは、ベランダや窓の近傍など、オーバーフロー樋２００による排水が生じた場合に、住人が気付きやすい位置がよい。
【００５２】
また、実施の形態では、オーバーフロー樋は、上側縦管２１０と下側縦管２２０とに分割したものを示したが、これに限定されず、この部分を一体の管としてもよい。
また、実施の形態では、排水口２３４は、ドレン部材２３０に設けた例を示したが、下側縦管２２０などの管本体に設けてもよい。また、実施の形態では、排水口２３４は、側方開口２３４ａと下方開口２３４ｂとを設けた例を示したが、いずれか一方のみとしてもよい。
また、実施の形態では、上側縦管２１０の軒樋１０の底板１１への固定ならびに下側縦管２２０およびドレン部材２３０の軒天井４０への固定を、雄ネジと雌ネジとの噛み合いにより行う例を示したが、これらの固定構造は、これに限定されない。
例えば、接着や締結部材を用いた固定としてもよい。
【符号の説明】
【００５３】
１０      ：軒樋
１１      ：底板（底面）
４０      ：軒天井
６０      ：ゴミ
１００    ：縦樋
２００    ：オーバーフロー樋
２１０    ：上側縦管
２３０    ：ドレン部材
２３４    ：排水口
２４０    ：蓋部材
２４４    ：隙間
Ａ        ：軒樋構造
Ｈ        ：建物
【図１】
2019214879.tif 000003
【図２】
2019214879.tif 000004
【図３】
2019214879.tif 000005
【図４】
2019214879.tif 000006
【図５】
2019214879.tif 000007
【図６Ａ】
2019214879.tif 000008
【図６Ｂ】
2019214879.tif 000009
【図７Ａ】
2019214879.tif 000010
【図７Ｂ】
2019214879.tif 000011